(57)【要約】【課題】  横長のパネル単位を用いるパネルフェンスについて、取付時に外部足場を必要とせず、施工部位の内側から安全に取付作業を行え、容易に且つ高能率で施工でき、取付状態の安定性及び強度に優れ、パネル交換も容易となる取付装置を提供する。【解決手段】  建造物躯体Ｓに所定間隔置きに立設されるＨ形鋼からなる支柱１と、複数枚の横長パネル２と、各支柱１毎に一対の棒状押圧材３と、固定用ボルト４・ナット５とを備え、支柱１がＨ形鋼の両側凹溝１０をフェンス面方向に向けて配置し、支柱１間に横長パネル２の複数枚が左右両端部２ａを凹溝１０内に位置させて上下配列し、複数枚の横長パネル２の端部２ａと支柱１の内側側片部１ａとの間に棒状押圧材３が垂直に配置し、支柱１の内側側片部１ａの上下複数箇所に貫通させた固定用ボルト４をナット５に螺挿して凹溝１０内に突入させ、固定用ボルト４の先端で棒状押圧材３を押し付けることにより、棒状押圧材３と支柱１の外側側片部１ｂとの間で上下配列した複数枚の横長パネル２の端部２ａを一律に挟着固定する。【選択図】                図４
2005188088.tif 000002
【特許請求の範囲】
【請求項１】
建造物躯体に所定間隔置きに立設されるＨ形鋼からなる支柱と、複数枚の横長パネルと、各支柱毎に一対の棒状押圧材と、固定用ボルト・ナットとを備え、
前記支柱がＨ形鋼の両側凹溝をフェンス面方向に向けて配置し、これら支柱間に前記横長パネルの複数枚が左右両端部を支柱の凹溝内に位置させて上下配列してフェンス面を形成すると共に、これら複数枚の横長パネルの端部と支柱の内側側片部との間に前記棒状押圧材が垂直に配置し、
支柱の内側側片部の上下複数箇所に貫通させた固定用ボルトをナットに螺挿して前記凹溝内に突入させ、これら固定用ボルトの先端で前記棒状押圧材を押し付けることにより、該棒状押圧材と支柱の外側側片部との間で上下配列した複数枚の横長パネルの端部を一律に挟着固定するように構成されてなるパネルフェンスの取付装置。
【請求項２】
前記横長パネルは、取付状態で上下縁となる両側縁に、その全長にわたる係嵌枠部を有し、
両係嵌枠部は、その一側の係嵌枠部が上下に隣接する同じ横長パネルの他側の係嵌枠部と前後方向に係嵌可能で、且つ係嵌状態で上下方向に離脱不能となる形状を備えてなる請求項１記載のパネルフェンスの取付装置。
【請求項３】
前記横長パネルは、一側の係嵌枠部が面板部の背面側へ曲がり込むと共に、他側の係嵌枠部が面板部の側方へ延出してなる請求項２記載のパネルフェンスの取付装置。
【請求項４】
前記棒状押圧材が矩形パイプからなる請求項１〜３のいずれかに記載のパネルフェンスの取付装置。
【発明の詳細な説明】
【技術分野】
【０００１】
本発明は、立体式駐車場の各駐車階層の周囲や昇降路側部、ビル屋上やベランダの周囲、高所通路の側部等に設けられるパネルフェンスの取付装置に関する。
【背景技術】
【０００２】
パネルフェンスとして、支柱間のフェンス面を単一の広面積パネルで構成したり、支柱間に横長のパネル単位を上下に並べて配置したり、縦長のパネル単位を支柱と梁（横桟）を利用して左右に並べて配置する等、種々の形態のものが知られる。しかして、特に横長のパネル単位を用いる場合は、その上下配列数によってフェンスの高さを種々設定できるという利点がある。
【０００３】
しかるに、これらパネルフェンスは概して高所に設けることが多く、その取付施工に際して一般的に外部足場を構築する必要があり、そのために工期が長くなると共に施工コストも高く付く上、高所作業に危険を伴うという難点があった。また、フェンスの取り付けには従来より様々な方式が採用されているが、特に横長や縦長のパネル単位を並べてフェンス面を構成する場合、各パネル単位毎に複数箇所のねじ止めや溶接等を行うことから、作業が煩雑で多大な労力及び時間を要していた。更に、パネルフェンスとしては、本来の機能上から取付状態の安定性及び強度に優れることが重要であり、また破損や傷損及び寿命による交換の容易さも必要な事項となる。
【発明の開示】
【発明が解決しようとする課題】
【０００４】
本発明の課題は、上述の情況に鑑み、特に横長のパネル単位を用いるパネルフェンスについて、取付時に外部足場を必要とせず、施工部位の内側から安全に取付作業を行えると共に、容易に且つ高能率で施工でき、しかも取付状態の安定性及び強度に優れ、パネル交換も容易となる取付装置を提供することにある。
【課題を解決するための手段】
【０００５】
上記課題を解決するために、本発明の請求項１に係るパネルフェンスの取付装置は、図面の参照符号を付して示せば、建造物躯体（駐車階層Ｓ）に所定間隔置きに立設されるＨ形鋼からなる支柱１…と、複数枚の横長パネル２…と、各支柱１毎に一対の棒状押圧材３…と、固定用ボルト４・ナット５とを備え、前記支柱１がＨ形鋼の両側凹溝１０，１０をフェンス面方向に向けて配置し、これら支柱１，１間に前記横長パネル２の複数枚が左右両端部２ａ，２ａを支柱１の凹溝１０内に位置させて上下配列してフェンス面を形成すると共に、これら複数枚の横長パネル２…の端部２ａと支柱１の内側側片部１ａとの間に前記棒状押圧材３が垂直に配置し、支柱１の内側側片部１ａの上下複数箇所に貫通させた固定用ボルト４をナット５に螺挿して前記凹溝１０内に突入させ、これら固定用ボルト４の先端で前記棒状押圧材３を押し付けることにより、該棒状押圧材３と支柱１の外側側片部１ｂとの間で上下配列した複数枚の横長パネル２…の端部２ａ…を一律に挟着固定するように構成している。
【０００６】
また、請求項２の発明は、上記請求項１のパネルフェンスの取付装置において、前記横長パネル２は、取付状態で上下縁となる両側縁に、その全長にわたる係嵌枠部２１，２２を有し、両係嵌枠部２１，２２は、その一側の係嵌枠部２１（２２）が上下に隣接する同じ横長パネル２の他側の係嵌枠部２２（２１）と前後方向に係嵌可能で、且つ係嵌状態で上下方向に離脱不能となる形状を備えてなるものとしている。
【０００７】
そして、請求項３の発明は、上記請求項２のパネルフェンスの取付装置において、前記横長パネル２は、一側の係嵌枠部２１が面板部２０の背面側に曲がり込むと共に、他側の係嵌枠部２２が面板部２０の側方へ延出してなるものとしている。
【０００８】
更に、請求項４の発明は、上記請求項１〜３のいずれかのパネルフェンスの取付装置において、前記棒状押圧材３が矩形パイプからなるものとしている。
【発明の効果】
【０００９】
請求項１の発明に係るパネルフェンスの取付装置によれば、支柱のＨ形鋼の凹溝形状を利用し、フェンス面を構成する複数枚の横長パネルを順次、その両端部を左右の支柱の凹溝内に嵌入させた状態で上方から落とし込む形で上下に配列させたのち、これらパネルの端部と支柱の内側側片部との間に配置した棒状押圧材を、該内側側片部を通してナットに螺挿したボルトの先端で押圧するだけで、上下配列したパネル全部を一挙に挟着固定できる。従って、この取付作業は外部足場を用いずに施工部位の内側から安全に行えることに加え、個々のパネル毎にねじ止めや溶接を行う必要がなく、しかも操作的にも非常に簡単であるため、少ない労力で能率よく短時間で施工を完了することが可能である。また、取り付けた各パネルは、左右の支柱の凹溝内に嵌入した両端部が該支柱の外側側片部と棒状押圧材との間で挟着されているから、がた付きのない強固な固定状態に保たれる上、仮に棒状押圧材を押圧するボルトが弛んだ場合でも内外方向のいずれにも離脱不能であるから、防護用フェンスとして極めて高い安全性を備えている。一方、破損や傷損及び寿命による交換を行う際は、前記ボルトを弛めるだけで各パネルが上方へ抜出可能となるから、交換作業も極めて容易に能率よく行える。
【００１０】
請求項２の発明によれば、上下配列した横長パネル同士が上位側パネルの下縁と下位側パネルの上縁とで全長にわたって係嵌するため、パネル間に内外を透通する隙間を生じず、もって外側からの風雨の吹き込みを完全に遮断できる。しかして、パネル同士の係嵌は前後方向でなされるため、その係嵌操作のために上下のパネルを相対的に前後方向に移動させる必要があるが、この前後移動はパネル両端部が両側支柱の凹溝内に配置した状態で行えるから、該係嵌操作の際に誤ってパネルが落下する懸念はなく、安全に作業できる。また、積み上げたパネル全部が上下方向に離脱不能に係嵌した形になるから、パネル交換時に既設パネルを取り外す際、上位のパネルを持ち上げることによって下位のパネルも連なって持ち上がり、もって支柱間からのパネルの抜出操作を容易に能率よく行える。
【００１１】
請求項３の発明によれば、積み上げた横長パネル同士が上記のように係嵌する構成において、その係嵌部がパネルの面板部の内側になって外面に露呈しないため、フェンス面の外観が良好となる。
【００１２】
請求項４の発明によれば、前記棒状押圧材が矩形パイプであるめ、軽量で取り扱い易く、それだけフェンス取付作業が容易になると共に、中空形状で撓みにくいため、ボルト５による押圧箇所が少なくても多数枚のパネル２…全体に均等な押圧力を働かせることができる。
【発明を実施するための最良の形態】
【００１３】
以下、本発明に係るパネルフェンスの取付装置の実施形態について、図面を参照して具体的に説明する。
【００１４】
図１は、立体駐車場に本発明の適用によるパネルフェンスＦを取付施工した例を示している。このパネルフェンスＦは、各駐車階層Ｓの周囲に所定間隔置きに立設された支柱１…間に、複数枚（図では６枚）の横長パネル２…が上下に配列した状態に嵌装されてフェンス面を構成し、頂部に笠木６が取り付けられている。
【００１５】
支柱１は、図２〜図４に示すように、Ｈ形鋼からなり、該Ｈ形鋼の両側凹溝１０，１０をフェンス面方向に向けて配置している。そして、該支柱１の内側側片部１ａには、その上下複数箇所（図では３箇所）に両側凹溝１０，１０に透通するボルト挿通孔１１…が穿設されると共に、各ボルト挿通孔１１の凹溝１０側にナット５が溶接固着されており、外側からボルト４をボルト挿通孔１１を通して該ナット５に螺挿するようになっている。
【００１６】
一方、各横長パネル２は、曲げ加工した金属板あるいは金属又は合成樹脂の押出型材からなり、図７（Ａ）（Ｂ）で示すように、取付状態で上下縁となる両側側縁部に、その全長にわたって背面側（取付状態での内部側）へ突出した係嵌枠部２１，２２を有している。その一方の係嵌枠部２１は、面板部２０の内側へ曲がり込んだ断面Ｌ字形に形成されている。他方の係嵌枠部２２は、凹側を外側に向けた断面コ字形で、係嵌枠部２１とは逆に面板部２０の側方へ延出している。また、一方の断面Ｌ字形の係嵌枠部２１は、他方の断面コ字形の係嵌枠部２２に内嵌し得る寸法に設定されている。
【００１７】
フェンス面を構成する横長パネル２…は、図３（Ａ），（Ｃ）に示すように、いずれも断面コ字形の係嵌枠部２２側を上にして、下位のパネル２の係嵌枠部２２に上位のパネル２の係嵌枠部２１が係嵌した状態で、それぞれ両端部２ａ，２ａを左右の支柱１，１の凹溝１０，１０内に嵌入させている。また、支柱１の各凹溝１０内には、図２〜図４に示すように、これら横長パネル２…の端部２ａ…と該支柱１の内側側片部１ａとの間に、当該支柱１と同長さの金属製矩形パイプからなる棒状押圧材３が、その矩形の長辺側をフェンス面方向として垂直に配置している。
【００１８】
しかして、支柱１，１間に嵌装された複数枚の横長パネル２…は、各支柱１の上下複数箇所において内側側片部１ａを通してナット５に螺挿させたボルト４を締め付け、これらボルト５の先端で棒状押圧材３を前方へ押し付けることにより、これらパネル２…の端部２ａ…全体が該棒状押圧材３と支柱１の外側側片部１ｂとの間で一律に挟着固定されている。
【００１９】
笠木６は、断面略下向き開放コ字形をなしており、図３（Ｂ）で拡大して示すように、その両側片部６ａ，６ｂをビス７…によって支柱１の内外両側の側片部１ａ，１ｂに止着することにより、パネルフェンスＦの頂部に冠着されている。また、支柱１は、図４及び図５に示すように、その下端に固着した取付板１２を梁Ｂに外方突出状に固着された受け板Ｐ上に載置し、該受け板Ｐの植設ボルト８を取付板１２に貫通させてナット８を螺合締着することにより、各駐車階層Ｓの周囲に立設されている。なお、図５中、Ｄはデッキプレートの如き床板、Ａは該床板Ｄ上に設けたアスファルトの如き舗装材を示す。
【００２０】
上記構成のパネルフェンスＦでは、その取付施工に際し、左右の支柱１，１間に、複数枚の横長パネル２…を順次、その両端部２ａ，２ａを左右の支柱１，１の凹溝１０内に嵌入させて上方から落とし込む形で嵌装すると共に、上下パネル２，２の係嵌枠部２１，２２を係嵌させたのち、これらパネル２…の端部２ａ…と支柱１の内側側片部１ａとの間に配置した棒状押圧材３を、該内側側片部１ａを通してナット５に螺挿したボルト４の先端で押圧するだけで、積み上げたパネル２…全部を一挙に挟着固定できる。
【００２１】
しかして、この取付施工においては、上記の支柱１，１間へのパネル２…の嵌装とパネル相互の係嵌操作、及びボルト４の締め付けによるパネル２…の固定操作は、全て施工部位の内側から容易に行えるから、外部足場を構築する必要がなく、それだけ工期を短縮できると共に施工コストも抑えられ、且つ外部足場での高所作業のような危険性を伴わず、作業の安全性を確保できる。また、上記のように支柱１，１間に嵌装した複数枚のパネル２…を一挙に固定でき、従来のように個々のパネル毎にねじ止めや溶接を行う必要がない上、これらパネル２…の嵌装及び固定のための操作が非常に簡単で容易に行えるから、少ない労力で能率よく短時間で施工が完了する。
【００２２】
なお、パネル２，２同士の上下縁の係嵌は前後方向でなされるため、その係嵌操作のために上下のパネル２，２を相対的に前後方向に移動させる必要があるが、この前後移動はパネル２の両端部２ａ，２ａが両側支柱１，１の凹溝１０内に配置した状態で行えるから、該係嵌操作の際に誤ってパネル２が落下する懸念はなく、安全に作業できる。
【００２３】
かくして取り付けられた各パネル２…は、左右の支柱１，１の凹溝１０，１０内に嵌入した両端部２ａ，２ａが各々支柱１の外側側片部１ａと棒状押圧材３との間で挟着されているため、がた付きのない強固な固定状態に保たれる上、仮に棒状押圧材３を押圧するボルト４が弛んだ場合でも内外方向のいずれにも離脱不能であるから、防護用フェンスとして極めて高い安全性が得られる。また、このパネルフェンスＦでは、上下に隣接するパネル２，２同士が上下縁の全長にわたって係嵌しているため、パネル２…間に内外を透通する隙間を生じず、もって外側からの風雨の吹き込みを完全に遮断できると共に、その各係嵌部分がパネル２の面板部２０の内側になって外面に露呈しないため、フェンス面の外観が良好となる。
【００２４】
一方、破損や傷損及び寿命によるパネル交換において、既設パネル２…を取り外す際、前記ボルト４を弛めるだけで各パネル２…が上方へ抜出可能となることに加え、上下配列した全部のパネル２…が相互に上下縁で係嵌しているから、上位のパネル２を持ち上げることによって下位のパネル２…も連なって持ち上がり、もって支柱１，１間からのパネル２…の抜出操作を容易に能率よく行える。
【００２５】
なお、棒状押圧材３としては、例示した矩形パイプ以外に、角棒の如き中実の棒材も使用可能である。しかるに、矩形パイプは、軽量で取り扱い易く、それだけフェンス取付作業が容易になると共に、中空形状で撓みにくいため、ボルト５による押圧箇所が少なくても多数枚のパネル２…全体に均等な押圧力を働かせることができる。しかして、ボルト５による押圧箇所は、前記実施形態では各支柱１の上下３箇所としているが、パネルフェンスＦの高さが低い場合は上下２箇所でよく、逆に高い場合は４箇所以上としてもよい。
【００２６】
また、棒状押圧材３に押し付けるボルト４に対応するナット５は、前記実施形態とは逆にボルト挿通孔１１の外面側に溶接固着してもよいし、固定しない形でも使用できる。すなわち、ナット５を固定しない場合は、支柱１の凹溝１０側で保持した該ナット５とボルト挿通孔１１に外側から通したボルト４とを螺合し、両者の一方を回転不能に保持しながら他方を螺合進行方向に捻回してゆけば、該ナット５が支柱１の内側側片部１ａの内面に接当する一方、ボルト４の先端が棒状押圧材３に突き当たり、該棒状押圧材３がパネル２…に押し付けられることになる。
【００２７】
横長パネル２の両係嵌枠部２１，２２は、前記実施形態では一方が断面Ｌ字形で他方が断面コ字形であるものを例示したが、相互に前後方向に係嵌して且つ係嵌状態で上下方向に離脱不能な形状であれば、例示以外の様々な断面形状を採用できる。その他、支柱１の建造物躯体に対する取付構造、笠木６の形状及び取付構造等、細部構成については実施形態以外に種々設計変更可能である。しかして、本発明は、例示した立体式駐車場の各駐車階層の周囲に限らず、その昇降路側部、ビル屋上やベランダの周囲、高所通路の側部等、各所に設けられるパネルフェンスの取り付けに適用できることは言うまでもない。
【図面の簡単な説明】
【００２８】
【図１】本発明の一実施形態に係るパネルフェンスの取付装置を適用した立体駐車場の要部の外観を示す斜視図である。
【図２】同パネルフェンスの取付装置による取付施工操作を示す要部の斜視図である。
【図３】同パネルフェンスの縦断面を示し、（Ａ）は全体の縦断側面図、（Ｂ）は（Ａ）の仮想線円Ｃ１内の拡大図、（Ｃ）は（Ａ）の仮想線円Ｃ２内の拡大図である。
【図４】同パネルフェンスの横断面を示し、（Ａ）は全体の横断平面図、（Ｂ）は（Ａ）の仮想線円Ｃ３内の拡大図である。
【図５】同パネルフェンスの支柱の立設部を示す縦断側面図である。
【図６】同パネルフェンスに用いる横長パネルを示し、（Ａ）は斜視図、（Ｂ）は幅方向の断面図である。
【符号の説明】
【００２９】
１    支柱
１ａ  内側側片部
１ｂ  外側側片部
１０  凹溝
１１  ボルト挿通孔
２    横長パネル
２ａ  端部
２０  面板部
２１  係嵌枠部
２２  係嵌枠部
３    棒状押圧材
４    ボルト
５    ナット
Ｆ    パネルフェンス
Ｓ    駐車階層（建造物躯体）
【図１】
2005188088.tif 000003
【図２】
2005188088.tif 000004
【図３】
2005188088.tif 000005
【図４】
2005188088.tif 000006
【図５】
2005188088.tif 000007
【図６】
2005188088.tif 000008